(57)【要約】【課題】グローブボックスにおいて、物品収納本体の背面に装置を配設する空間を大きく確保すると共に、物品収納本体の背後に収納物品の誤投入を防止する。【解決手段】グローブボックス３０を構成するボックス状の物品収納本体３２は、インストルメントパネル１０に開設した開口部２２に回動自在に枢支されている。物品収納本体３２の背面側上端縁４６ａと開口部２２の上端縁２２ａに近接する部位との間には、少なくとも３個所に設けた平行なヒンジ部５２を有するカバー５０が配設されている。カバー５０は、開放状態においてヒンジ部５２を介して展延状態となり、これによりインストルメントパネル１０の内側を目隠しする。一方、閉成状態においては、ヒンジ部５２を介して折り畳まれるよう構成されている。【選択図】  図１
2004330920.tif 000002
【特許請求の範囲】
【請求項１】
車両用インストルメントパネル（１０）に開設した開口部（２２）に枢支したボックス状の物品収納本体（３２）を、インストルメントパネル（１０）内へ格納して前記開口部（２２）を閉成する第１位置と、該インストルメントパネル（１０）の手前側へ傾倒させて該開口部（２２）を開放する第２位置との間で回動変位させるようにしたグローブボックスの構造において、
少なくとも３個所に設けた平行なヒンジ部（５２）において屈曲可能なカバー（５０）を備え、
前記カバー（５０）のヒンジ部（５２）と平行な一方の端縁部（５０ａ）を前記物品収納本体（３２）の背面側上端縁（４６）に接続すると共に、他方の端縁部（５０ｂ）を前記開口部（２２）の上端縁（２２ａ）と近接する部位に接続し、
前記物品収納本体（３２）を前記第２位置へ変位させて前記開口部（２２）を開放した際に、前記カバー（５０）が少なくとも３個所に設けたヒンジ部（５２）を介して展延状態となって前記インストルメントパネル（１０）の内側を目隠しすると共に、該物品収納本体（３２）を前記第１位置へ変位させて該開口部（２２）を閉成した際に、該カバー（５０）は前記少なくとも３個所に設けたヒンジ部（５２）を介して折り畳み状態になるよう構成した
ことを特徴とするグローブボックスの構造。
【請求項２】
前記カバー（５０）は、少なくとも２個所に設けた平行なヒンジ部（５２）に挟まれた領域を断面くの字状に折曲形成した板状体から構成され、
前記カバー（５０）の前記接続時において、前記くの字状折曲部の内側を前記開口部（２２）側に指向させるようになっている請求項１記載のグローブボックスの構造。
【発明の詳細な説明】
【０００１】
【発明の属する技術分野】
この発明は、車両用インストルメントパネルに設置されるグローブボックスの構造に関し、更に詳細には、グローブボックスを構成するボックス状の物品収納本体が、インストルメントパネルの開口部に対して回動自在に配設されるグローブボックスの構造に関するものである。
【０００２】
【従来の技術】
一般的に、乗用車における乗員室内の前方には、図７に例示するように、所要形状に成形されて車幅方向の略全幅に亘って延在する大型のインストルメントパネル１０が設けられている。このインストルメントパネル１０は、車種毎に専用にデザインされた固有の形状とされており、基本的には所要の意匠形状に成形されたパネル基材１２を主体として、その運転席側には計器ユニット１４が配設されると共に、センターコンソール部にはオーディオユニット１６や空調操作パネル１８等が配設されている。また助手席側には、内部に格納したエアバッグ装置（図示せず）に対応したエアバッグドア２０や、車検証または身の回りの小間物を収納可能なグローブボックス２１が配設されている。そして、前記インストルメントパネル１０の背面に画成される内部空間２６には、変速装置，空調装置やエアバッグ装置等の各種装置２７が設置されるようになっている（図１０参照）。
【０００３】
前記グローブボックス２１は、上方に開口したボックス状の物品収納本体３１と、該物品収納本体３１の乗員側を覆う前面パネル３４とから構成され、前記パネル基材１２の前面に形成された開口部２２に対し、該物品収納本体３１の下部に設けられた回動部２４を介して該パネル基材１２に回動可能に枢支されている。これにより、前記回動部２４を中心として、前記物品収納本体３１をインストルメントパネル１０内へ格納して閉成する第１位置（図８の実線表示状態）と、該物品収納本体３１を該インストルメントパネル１０の手前側へ傾倒させて開放する第２位置（図８の２点鎖線表示状態）とに姿勢を変位させることが可能となっている。また、前記インストルメントパネル１０の開口部２２に格納されたグローブボックス２１は、これに設けた図示しないロックユニットによって、該パネル基材１２に対する開放の阻止または解除がなされる。なお、前記物品収納本体３１の前面パネル３４は、該物品収納本体３１が第１位置に保持された状態では、該前面パネル３４が前記開口部２２の開口領域に整合して、当該インストルメントパネル１０の意匠面を構成するようになっている。
【０００４】
また、前記インストルメントパネル１０の背面に画成される内部空間２６と前記物品収納本体３１の間には、図８に例示するように、該物品収納本体３１の格納を許容し得る寸法のボックスカバー２８が設置されている。このボックスカバー２８は、前記グローブボックス２１を開放した際に、前記開口部２２の上端縁２２ａと該物品収納本体３１の背面側上端縁４６ａとの間に形成される隙間２９から、前記インストルメントパネル１０の内部に配設された各種装置２７が見えないように目隠しするためのものである。更には、前記物品収納本体３１に対して物品を出し入れする際に、前記隙間２９に物品を誤投入してしまった場合に、該物品が前記内部空間２６へ落下しないよう該物品収納本体３１の背後を覆う役目もある。
【０００５】
ところで近年に至っては、前記インストルメントパネル１０内に設置する各種装置２７の複雑化や多様化等に伴い、これら装置２７と前記物品収納本体３１とが干渉することがある。このため、図９に示すように、別の物品収納本体３２は、前記装置２７と干渉する該物品収納本体３２の背面部分を段差状に形成して、奥行き方向の寸法が小さい領域と大きい領域とを備える変則的な形状の物品収納本体３２とすることで、該装置２７の配設スペースを確保するようにした別のグローブボックス２３が提案されている（図１０参照）。なお、グローブボックスに関連する技術は、例えば特許文献１に開示されている。
【０００６】
【特許文献１】
特開２００１−３９２２８号公報
【０００７】
【発明が解決しようとする課題】
前述した従来のグローブボックスの構造では、その背面に前記ボックスカバー２８を配設しているので、前記インストルメントパネル１０の内部空間２６における装置２７の配設スペースを小さくしてしまう問題が指摘される。また、図９に例示したように、前記装置２７の配設スペースを確保するため、背面部分を段差状に形成した前記物品収納本体３２を有する前記グローブボックス２３の場合、物品収納本体３２における奥行き方向の寸法が大きい領域の開口に合わせて該グローブボックス２３を大きく開放すると、インストルメントパネル１０の開口部２２における上端縁２２ａと、物品収納本体３２の奥行き方向の寸法が小さい領域における背面側上端縁４６との間に、隙間２９がインストルメントパネル１０の前側に大きく開口してしまう欠点がある。従って、前記物品収納本体３２へ物品を収納するに際して、前記隙間２９から物品収納本体３２の背面側に物品を誤って落としてしまう虞れがある（図１０参照）。一方、前記物品収納本体３２の奥行き寸法が小さい側の領域に合わせてグローブボックス２３の開放角度を設定すると、該物品収納本体３２の開口領域が小さくなり、物品の出し入れが困難になって利便性を損なってしまうことになる。
【０００８】
【発明の目的】
この発明は、従来の技術に係るグローブボックスの構造に内在する前記問題に鑑み、これを好適に解決するべく提案されたものであって、物品収納本体の背面側に設置する各種装置の配設スペースを大きく確保し得ると共に、物品収納本体の背面側に収納物品の誤投入を防止し得るようにしたグローブボックスの構造を提供することを目的とする。
【０００９】
【課題を解決するための手段】
前記課題を克服し、所定の目的を達成するため本発明に係るグローブボックスの構造は、
車両用インストルメントパネルに開設した開口部に枢支したボックス状の物品収納本体を、インストルメントパネル内へ格納して前記開口部を閉成する第１位置と、該インストルメントパネルの手前側へ傾倒させて該開口部を開放する第２位置との間で回動変位させるようにしたグローブボックスの構造において、
少なくとも３個所に設けた平行なヒンジ部において屈曲可能なカバーを備え、前記カバーのヒンジ部と平行な一方の端縁部を前記物品収納本体の背面側上端縁に接続すると共に、他方の端縁部を前記開口部の上端縁と近接する部位に接続し、
前記物品収納本体を前記第２位置へ変位させて前記開口部を開放した際に、前記カバーが少なくとも３個所に設けたヒンジ部を介して展延状態となって前記インストルメントパネルの内側を目隠しすると共に、該物品収納本体を前記第１位置へ変位させて該開口部を閉成した際に、該カバーは前記少なくとも３個所に設けたヒンジ部を介して折り畳み状態になるよう構成したことを特徴とする。
【００１０】
【発明の実施の形態】
次に、本発明に係るグローブボックスの構造につき、好適な実施例を挙げて、添付図面を参照しながら以下説明する。なお、説明の便宜上、図７〜図１０に示したグローブボックスの構成要素と同一の要素については、同一の符号を使用して詳細な説明は省略する。
【００１１】
図１は、本発明の好適実施例に係るグローブボックスの構造が実施されたインストルメントパネルの部分斜視図、図４は、図１のＡ−Ａ線断面図である。本発明のグローブボックスの構造は、様々なタイプの物品収納本体に実施可能であるが、ここでは図９に挙げた物品収納本体３２に実施する場合につき例示する。図１に示すように、前記インストルメントパネル１０は、所要の意匠形状に成形されたパネル基材１２を主体とし、助手席側における前側に、実施例のグローブボックス３０を配設するための開口部２２が開設されている。
【００１２】
実施例のグローブボックス３０は、前記パネル基材１２における前側下部に形成された前記開口部２２に対して格納可能なサイズに形成されており、ボックス状の物品収納本体３２と、この物品収納本体３２と別体に成形されて該物品収納本体３２の前側に組付けられる前面パネル３４とから構成されている。前記物品収納本体３２は、ポリプロピレン（ＰＰ）等の合成樹脂を材質とする一体成形部材であり、内部に所要容積の物品収納空間４２が画成されると共に、各種物品の出し入れを許容する物品出入口４４が上部に形成されている。また前記前面パネル３４は、同じくポリプロピレン（ＰＰ）等の合成樹脂を材質とする一体成形部材であり、前記開口部２２の開口領域に合致するサイズ・形状とされており、前記物品収納本体３２を格納した第１位置では、該開口部２２の開口領域に整合して当該インストルメントパネル１０の意匠面を構成するようになっている。
【００１３】
図２に示すように、前記物品収納本体３２は、インストルメントパネル１０内へ格納された状態（第１位置）において、その背面（インストルメントパネル１０の内部空間２６）に設置された前記装置２７との干渉を回避するため、該物品収納本体３２の背面部４０における干渉部位を前方に向けて段差状に形成してある。すなわち、前記物品収納本体３２は、前記物品出入口４４の奥行き方向の寸法が小さい領域（以下、第１物品出入口４４ａと云う）と、寸法が大きい領域（以下、第２物品出入口４４ｂと云う）とを有する変則的なボックス形状に形成されている（図１参照）。
【００１４】
前述のような形状とされた前記物品収納本体３２の下部には、下方に延出させた一対の支持片と支持片から水平に立設したピンとからなる回動部２４が設けられ、前記パネル基材１２の開口部２２の下部に設けられている被回動部２５の軸孔に該回動部２４のピンを挿入することで、該パネル基材１２に対して回動可能に組付けられている。これによりグローブボックス３０は、前記回動部２４を中心として回動することで、前記物品収納本体３２をインストルメントパネル１０内へ格納して前記各物品出入口４４ａ，４４ｂを閉成する第１位置（図２参照）と、該物品収納本体３２を該インストルメントパネル１０の手前側へ傾倒させて各物品出入口４４ａ，４４ｂを開放する第２位置（図４参照）とに姿勢を変位させている。ここで第２位置は、前記物品収納本体３２における第２物品出入口４４ｂの区画する背面側上端縁４６ｂが、前記基材パネル１２の開口部２２の上端縁２２ａと隣接する位置で停止され、該物品収納本体３２の側部に立設される図示しない規制片が該開口部２２の側縁部に引っ掛かることで、それ以上の開放変位を規制するよう設定されている。従って、グローブボックス３０が第２位置に停止した状態では、前記物品収納本体３２の背面側上端縁４６ｂと前記開口部２２の上端縁２２ａとの間には、隙間がほとんど画成されないようになっている。なお、前記グローブボックス３０は、これに設けた図示しないロックユニットによって、前記インストルメントパネル１０に対する開放の阻止または解除がなされる。
【００１５】
また、前記第１物品出入口４４ａ側の背面側上端縁４６ａと前記開口部２２の上端縁２２ａに近接する部位との間には、所要形態のカバー５０が配設されており、インストルメントパネル１０の内部空間２６に配設された前記各種装置２７が視認されるのを防止している（図１または図４参照）。
【００１６】
前記カバー５０は、ポリプロピレン（ＰＰ）等の合成樹脂を材質とする一体成形部材であり、少なくとも３個所に設けた平行なヒンジ部５２を有している。そして、前記カバー５０は、少なくとも２個所に設けた平行なヒンジ部５２に挟まれた領域を断面くの字状に折曲形成した板状体から構成され、該カバー５０の後述する接続時において、前記くの字状折曲部の内側を前記開口部２２の側に指向させるようになっている。具体的には、前記背面側上端縁４６ａの接合部位と近接する位置に形成される第１ヒンジ部５２ａと、前記開口部２２の上端縁２２ａに近接する位置に形成される第２ヒンジ部５２ｂと、これらの中間に位置する第３ヒンジ部５２ｃとの３個所に前記ヒンジ部５２を備えている。実施例のカバー５０のヒンジ部５２は、板厚を他の部分より薄く設定することで、ポリプロピレン（ＰＰ）が発現する可撓性を利用して該カバー５０の厚さ方向に向けて屈曲可能とした部位である。
【００１７】
そして、前記カバー５０のヒンジ部５２と平行な一方の端縁部５０ａは、前記物品収納本体３２における背面側上端縁４６ａの近傍に設けた係合部材５４を利用することで、該物品収納本体３２に係脱可能に組付けられている。また、前記カバー５０における他方の端縁部５０ｂには係止片５６が設けられ、前記パネル基材１２における開口部２２の上端縁２２ａと近接する部位に開設された係止孔（図示せず）に該係止片５６を挿通することで、該端縁部５０ｂがパネル基材１２に接続されている。
【００１８】
前記カバー５０は、前記物品収納本体３２が格納されたグローブボックス３０の第１位置では、図２に示すように、各ヒンジ部５２ａ，５２ｂ，５２ｃで屈曲変形してアコーディオン状に折り畳まれた状態になっている。このとき、前記カバー５０は、前記第１ヒンジ部５２ａと第２ヒンジ部５２ｂとを結んだ線より、前記第３ヒンジ部５２ｃが前記開口部側に位置するように折り畳まれている。すなわち、前記グローブボックス３０が第１位置に位置している場合は、折り畳まれたカバー５０が、前記物品収納本体３２の背後に配設される各種装置２７と干渉しないようになっている。
【００１９】
一方、前記カバー５０は、前記物品収納本体３２を該インストルメントパネル１０の手前側へ傾倒させて開放する第２位置に姿勢を変位させると、前記物品出入口４４が乗員室に向けて開放されると共に、各ヒンジ部５２を介して前記カバー５０が展延状態となって、前記背面側上端縁４６ａと開口部２２の上端縁２２ａとの隙間を覆うよう構成されている。
【００２０】
また、図５に示すように、前記第１ヒンジ部５２ａと第２ヒンジ部５２ｂとの間におけるカバー５０の側方には、インストルメントパネル１０の内部空間側に向けて板状部材５７が延出している。この板状部材５７には、該カバー５０の幅方向に延出して規制板５８が設けられ、この規制板５８の裏面には弾力性を有するスポンジ等のクッション部材６０が配設されている。前記クッション部材６０は、前記グローブボックス３０が前記第２位置へ到来する直前に前記物品収納本体３２の上端縁４６に当接するようになっており、前記規制板５８と物品収納本体３２の上端縁４６とにより挟圧されて圧縮変形するようになっている（図５の２点鎖線状態）。すなわち、クッション部材６０は、前記グローブボックス３０が第２位置まで全開される時の衝撃を吸収するよう機能する。
【００２１】
【実施例の作用】
次に、前述のように構成された実施例に係るグローブボックスの構造の作用につき、図１〜図５を引用して説明する。
【００２２】
実施例のグローブボックス３０は、図２に示すように、前記物品収納本体３２をインストルメントパネル１０に格納して開口部２２を閉成している第１位置においては、図示しないロックユニットにより回動規制され、前記前面パネル３４がインストルメンタルパネル１０の意匠面を構成している。そして、インストルメントパネル１０内に格納されている前記物品収納本体３２は、前述したように段差状に形成されたボックス形状であるので、インストルメントパネル１０の内部空間２６に設置されて該物品収納本体３２の背後に位置する装置２７と干渉しない。
【００２３】
また、前記第１位置において、前記物品収納本体３２の背面側上端縁４６ａと前記開口部２２の上端縁２２ａに近接する部位とに両端部を夫々接続している前記カバー５０は、各ヒンジ部５２ａ，５２ｂ，５２ｃで屈曲変形され、第１物品出入口４４ａの上方でアコーディオン状に折り畳まれている。すなわち前記カバー５０は、第１位置において、前記インストルメントパネル１０の内部空間２６に設置された各種装置２７と干渉することがないので、前記内部空間２６が広く確保することができる。更に第１位置において、前記第３ヒンジ部５２ｃが、前記第１ヒンジ部５２ａと第２ヒンジ部５２ｂとを結んだ線より前方側に位置するようになっている。このため、前記物品収納本体３２の回動に際し、各ヒンジ部５２の屈曲変形は、第１物品出入口４４ａの上方で行なわれ、背後に配設された各種装置２７と干渉することがない。
【００２４】
そして、前記ロックユニットを解除したもとで、下部に設けられた回動部２４を中心にし、前記物品収納本体３２を１／２程度だけ開放傾動させた際には、図３に示すように、各ヒンジ部５２ａ，５２ｂ，５２ｃが適度に屈曲変形することで、各ヒンジ部５２ａ，５２ｂ，５２ｃを介して折り畳まれていた前記カバー５０は、一時的に更に折り畳まれた状態になる。このとき、前記第３ヒンジ部５２ｃは、前記第２ヒンジ部５２ｂが近接している部位で固定されているので、該第２ヒンジ部５２ｂを中心として回動移動しつつ屈曲変形する。すなわち図３に示すよう、第３ヒンジ部５２ｃは、前記第２ヒンジ部５２ｂを中心として一度上方に移動して、それから伸張するような挙動を示す。
【００２５】
更に前記物品収納本体３２の回動が進行すると、前記カバー５０の側方に設けられた前記クッション部材６０が、該物品収納本体３２の上端縁４６に当接して圧縮変形し、しかる後に物品収納本体３２の側方に設けられた規制片が前記開口部２２の側端部に当接することで回動が規制されて第２位置に到る（図５参照）。このように、前記規制片による回動規制の前に、弾力性に富んだ前記クッション部材６０が前記物品収納本体３２と圧縮変形しつつ当接することで、該物品収納本体３２は緩やかに回動を停止することができる。このように、前記カバーにクッション部材６０を設けることで、開放回動の停止の際に、該クッション材６０の弾力性により緩やかな開放規制が図られ、高級感を演出することができる利点がある。
【００２６】
そして第２位置において、前記物品収納本体３２の物品出入口４４は、乗員に向けて大きく開放され、物品の出し入れが容易になっている（図４参照）。また、前記物品収納本体３２おける第２物品出入口４４ｂを区画する背面側上端縁４６ｂが、前記基材パネル１２の開口部２２の上端縁２２ａと隣接する位置にあるので隙間はほとんど画成されず、物品の挿通が阻止される。一方、前記第１物品出入口４４ａ側の背面側上端縁４６ａと前記開口部２２の上端縁２２ａとの間には、隙間が大きく開設されるものの、前記カバー５０がこの隙間を覆っているので、該隙間からの物品の誤投入を防止し得ると共に、前記インストルメントパネル１０の内部空間２６の目隠しをしている。更に、前記カバー５０で隙間を覆うような構成とすることで、前記物品出入口４４を大きく乗員室に向けて開くことが可能となっている。前記カバー５０を断面くの字状に折曲形成することで、前記物品収納本体３２の回動を円滑にすると共に、第２位置において、前記物品出入口４４の空間を有効に利用することができる。
【００２７】
なお、例えば前記ヒンジ部５２の数が３以下であると、第１位置において、前記第３ヒンジ部５２ｃの如く前記物品収納本体３２の回動に合わせて屈曲または伸長変形する余裕部分を設けられず、カバーが滑らかに各ヒンジ部５２を介して屈曲変形することができない。
【００２８】
実施例のグローブボックス３０では、前記物品収納本体３２の背面部４０に段差を設けた変則的なボックス形状のものを用いている。しかし本願のグローブボックスの構造は、これ限定されず、図６に示すように、略四角形の物品収納本体３３の背面側上端縁４６の全長に亘って、カバー５０を接続する構成であっても勿論よい。この場合、前記カバー５０の寸法を長く設定することで、物品収納本体３１の物品出入口４４をより大きく開放することが可能である。また、カバー５０に形成するヒンジ部も３個所に限られず、例えば４個所以上のヒンジ部を設け、第１位置においてカバーが多段に折り畳まれる構成であってもよい。または更に、本実施例では、前記カバー５０を着脱自在に接続するよう構成したが、前記物品収納本体３２の背面側上端縁４６と一体的に形成する構成も採用し得る。
【００２９】
【発明の効果】
以上に説明した如く、本発明に係るグローブボックスの構造によれば、インストルメントパネルの開口部の上端縁と近接する部位と物品収納品本体の背面側上端縁との間にカバーを介在させることで、インストルメントパネルの内部空間の目隠しをすることができると共に、両端縁の間に画成される隙間が覆われるので出し入れする物品が物品収納本体の背後へ落下することを好適に防止し得る。従って、前記物品収納本体の背後にボックスカバーを設ける必要がなくなり、インストルメントパネルの内部空間を広く利用することができる。また、前記カバーを設けることで、前記物品収納本体の物品出入口を大きく開放することができるようになり、該物品収納本体の開口部から物品の出し入れを容易に行ない得る利点がある。更に、従来のボックスカバーに対し、本発明に係るグローブボックスの構造におけるカバーは小型であるので、コストの低減を図ることができる。
【図面の簡単な説明】
【図１】本発明の好適な実施例に係るグローブボックスの構造が実施されたインストルメントパネルの部分斜視図である。
【図２】実施例に係るグローブボックスの第１位置を示す断面図である。
【図３】実施例のグローブボックスの開放途中を示す断面図である。
【図４】実施例のグローブボックスの第２位置を示す図１のＡ−Ａ線断面図である。
【図５】図１のＢ−Ｂ線断面図である。
【図６】変更例に係るグローブボックスの構造が実施されたインストルメントパネルの部分斜視図である。
【図７】従来のグローブボックスの構造が採用されたインストルメントパネルの概略斜視図である。
【図８】図７のＣ−Ｃ線で破断したグローブボックスの開放態様を示す断面図である。
【図９】従来の別のグローブボックスの構造が採用されたインストルメントパネルの概略斜視図である。
【図１０】図９のＤ−Ｄ線で破断したグローブボックスの開放態様を示す断面図である。
【符号の説明】
１０  インストルメントパネル
２２  開口部
２２ａ  上端縁
３２  物品収納本体
４６  背面側上端縁
５０  カバー
５０ａ  （物品収納本体３２側の）端縁部
５０ｂ  （インストルメントパネル１０側の）端縁部
５２  ヒンジ部
【図１】
2004330920.tif 000003
【図２】
2004330920.tif 000004
【図３】
2004330920.tif 000005
【図４】
2004330920.tif 000006
【図５】
2004330920.tif 000007
【図６】
2004330920.tif 000008
【図７】
2004330920.tif 000009
【図８】
2004330920.tif 000010
【図９】
2004330920.tif 000011
【図１０】
2004330920.tif 000012